(57)【要約】【課題】異なる２つ以上の厚さのプリント配線基板の発光基板を安定して固定する基板ホルダを備えた誘導加熱調理器を提供する。【解決手段】本体２の上面に配置したプレート３と、被加熱物である鍋を加熱する加熱コイルユニット２５と、加熱コイルユニット２５の加熱条件や加熱時間を表示する上面表示部１０とを備え、上面表示部１０のプレート３下部に表示基板３３を備え、表示基板３３には、加熱状態等を表示する液晶表示素子８１と、液晶表示素子８１の後方で発光して照射する発光源８３を設けた発光基板８２と、液晶表示素子８１と発光基板８２を固定する基板ホルダ８０とを備え、基板ホルダ８０は、異なる厚さの発光基板８２を固定できるように段差８５の保持部８４を備えたことを特徴とする誘導加熱調理器。【選択図】  図１３
2013105731.tif 000002
【特許請求の範囲】
【請求項１】
本体の上面に配置したプレートと、被加熱物である鍋を加熱する加熱手段と、該加熱手段の加熱条件や加熱時間を表示する上面表示部とを備え、該上面表示部の前記プレート下部に表示基板を備え、
該表示基板には、加熱状態等を表示する液晶表示素子と、該液晶表示素子の後方で発光して照射する発光源を設けた発光基板と、前記液晶表示素子と前記発光基板を固定する基板ホルダとを備え、
前記基板ホルダは、異なる厚さの前記発光基板を固定できるように段差の保持部を備えたことを特徴とする誘導加熱調理器。
【発明の詳細な説明】
【技術分野】
【０００１】
本発明は、基板を固定する基板ホルダを備えた誘導加熱調理器に関するものである。
【背景技術】
【０００２】
従来の誘導加熱調理器は、本体上面に配置されたプレートに被加熱物である鍋を載置し、該鍋をプレート下方の本体内に設けられた加熱コイルにより加熱するもので、プレートの前面側上部には表示部が配置されている。該表示部は、液晶表示素子を備え液晶表示素子に加熱コイルの火力設定や加熱時間を表示する。更に発光源を発光して液晶表示素子の後方から照射する構造となっている。そして、発光色の異なる二以上の発光源による多色発光器を構成して合成された色で液晶表示素子を見える表示部にして、加熱時の火力感、設定状態、加熱状態および加熱電力の設定レベル等をより認識し易い表示を提供するものである。（特許文献１）。
【先行技術文献】
【特許文献】
【０００３】
【特許文献１】特開２００２−３２４６５８号公報
【発明の概要】
【発明が解決しようとする課題】
【０００４】
特許文献１に示す誘導加熱調理器は、液晶表示素子を発光源で点灯する構造を実現するために、発光源を液晶表示素子の後方である下側に配置している。発光源を搭載した発光基板を基板ホルダのカギ部等で表示基板を係止して固定する構造とする場合、従来の基板ホルダは、基板ホルダのカギ部で発光基板の係止部へ係止して係り代を確保して安定して固定するため、１つの厚さのプリント配線基板で構成した発光基板を固定することしかできなかった。そのため、別の厚さのプリント配線基板で構成する発光基板を固定しようとすると、基板ホルダのカギ部が発光基板の係止部へ係止する係り代が異なって不安定な固定となる問題があった。また、別の厚さのプリント配線基板の厚さ毎に基板ホルダを作る必要がありコストがかかるという問題があった。
【課題を解決するための手段】
【０００５】
本発明は、上記の問題を解決するためになされたものであり、本体の上面に配置したプレートと、被加熱物である鍋を加熱する加熱手段と、該加熱手段の加熱条件や加熱時間を表示する上面表示部とを備え、該上面表示部の前記プレート下部に表示基板を備え、該表示基板には、加熱状態等を表示する液晶表示素子と、該液晶表示素子の後方で発光して照射する発光源を設けた発光基板と、前記液晶表示素子と前記発光基板を固定する基板ホルダとを備え、前記基板ホルダは、異なる厚さの前記発光基板を固定できるように段差の保持部を備えたものである。
【発明の効果】
【０００６】
本発明によれば、１つの基板ホルダで異なる２つ以上の厚さのプリント配線基板の発光基板を基板ホルダに安定して固定できる。また、プリント配線基板の厚さ毎に基板ホルダを作る必要はなくコストを抑えることができる。
【図面の簡単な説明】
【０００７】
【図１】一実施例の誘導加熱調理器をシステムキッチンに収納した状態の斜視図である。
【図２】同誘導加熱調理器のプレートを外した状態を示す説明図である。
【図３】図１のＡ−Ａ断面図である。
【図４】一実施例の誘導加熱調理器の上面操作部と上面表示部の説明図である。
【図５】同誘導加熱調理器の表示基板の側面から見た説明図である。
【図６】同誘導加熱調理器の基板ホルダの外観図である。
【図７】図６のＰ矢方向から見た要部断面図である。
【図８】一実施例の誘導加熱調理器の発光基板の外観図である。
【図９】同誘導加熱調理器の別の厚さの発光基板の外観図である。
【図１０】同誘導加熱調理器の基板ホルダに、発光基板を取り付けた説明図である。
【図１１】図１０のＰ矢方向から見た要部断面図である。
【図１２】一実施例の誘導加熱調理器の基板ホルダに、別の厚さの発光基板を取り付けた説明図である。
【図１３】図１２のＰ矢方向から見た要部断面図である。
【図１４】一実施例の誘導加熱調理器の異なる３つ以上の段差を備える基板ホルダの説明図である（図７相当）。
【図１５】同誘導加熱調理器の基板ホルダに異なる３つ以上の厚さの発光基板を取り付けた説明図である（図１３相当）。
【図１６】同誘導加熱調理器の異なる３つ以上の段差を備える基板ホルダの別の説明図である。
【図１７】図１６の基板ホルダに異なる３つ以上の厚さの発光基板を取り付けた状態を図１６のＲ矢方向から見た要部平面図である。
【発明を実施するための形態】
【０００８】
以下、本発明の実施例を上記図面に従って説明する。尚、本実施例は、キッチンに嵌め込むビルトイン型の他にキッチンに載置する据置型の加熱調理器であっても差し支えない。
【０００９】
図１、図２において、加熱調理器の本体２は、システムキッチン１の上面から落とし込んで設置することで組み込まれる。調理を行う被加熱物の鍋（図示せず）は、本体２の上面に配置された耐熱ガラス等からなり光を透過するプレート３の載置部６に載置されることで調理可能となる。また、本体２の左側には、魚やピザなどを焼くためのロースター４が設けられている。
【００１０】
載置部６は、本体２上面のプレート３の上面手前に載置部右６ａと載置部左６ｂが配置され、これら両載置部６ａおよび６ｂの間の奥（中央後部）に載置部中央６ｃが配置されている。そして、プレート３を挟んで各載置部６の下に鍋を加熱するための後述する加熱コイルユニット２５がそれぞれ設置されている。配置は、載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。
【００１１】
プレート３の周囲端面には、プレート３を保護するためにフレーム１４が設けられている。該フレーム１４は、プレート３の手前の上端縁に取り付けられるフレーム前１４ａと、プレート３の後方上端縁に取り付けられるフレーム後１４ｂと、右側上端縁に取り付けられる１４ｃと、左側上端縁に取り付けられるフレーム左１４ｄとで構成されている。
【００１２】
本体２の内部には、発熱部材である後述する加熱コイルユニット２５や制御回路を構成する電子部品が設けられており、該加熱コイルユニット２５や制御回路の後方には、これらを冷却するための送風ファン２０（図３）と、本体２の外部から空気を吸込むための吸気口７及び冷却後の排気を排出する排気口８が設けられている。吸気口７で吸入した空気は、本体２の内部で発熱する後述する加熱コイルユニット２５や電子部品を冷却した後に排気口８から本体２外に排出される。
【００１３】
次に、図２において、被加熱物の鍋を加熱する加熱手段である加熱コイルユニット２５について説明する。鍋（図示せず）を加熱するための加熱コイルユニット２５は、加熱コイル１３とコイルベース２４とフェライト（図示せず）から構成されている。そして、プレート３と加熱コイルユニット２５との間には一定の隙間が設けられ、この隙間に前記送風ファン２０（図３）からの冷却風の一部を流して、プレート３の裏面と加熱コイルユニット２５を冷却している。
【００１４】
加熱コイル１３の巻線は表皮効果を抑制するためリッツ線を採用している。この加熱コイル１３には調理鍋（図示せず）を加熱するために後述するインバータ基板（左右インバータ基板１８（図３）、中央インバータ基板１７（図３））から数十ｋＨｚ、数百Ｖの電圧が印加される。コイルベース２４は、加熱コイル１３を下から固定すると共に、フェライト（図示せず）が略放射状に埋設されている。また、加熱コイル１３の略中央部の空間には、自動調理時など鍋の温度を検知する温度検知素子２１が取り付けられている。
【００１５】
次に、図３を用いて、加熱コイル１３とインバータ基板１７０の冷却について説明する。インバータ基板１７０は、左右の加熱コイル１３ａ、１３ｂを駆動するインバータ回路を搭載した左右インバータ基板１８と、加熱コイル中央１３ｃを駆動する中央インバータ基板１７とで構成されている。左右インバータ基板１８、中央インバータ基板１７は基板ケース２６内に配置され、電子部品で発熱した熱を効率よく送風ファン２０からの冷却風と熱交換して温度を下げるように放熱フィン２２、２３が設けられている。
【００１６】
送風ファン２０により吸気口７から吸込まれた冷却用の外気は、基板ケース２６内を通流し、左右インバータ基板１８や中央インバータ基板１７、制御回路を搭載した制御基板１９の電子部品から熱を奪った後、基板ケース２６から吹き出て、各加熱コイル１３や本体２内のその他の部品やプレート３の裏面を冷却した後に排気口８から外部に排出する。
【００１７】
基板ケース２６は、ロースター４が設置されている加熱コイルユニット左２５ｂとは反対の加熱コイルユニット右２５ａの下方に設置されている。本実施例では加熱コイルユニット右２５ａの下側に設置され、中に左右インバータ基板１８、中央インバータ基板１７を配置することで調理時に加熱コイル１３やロースター４からの輻射熱を遮り、また、内部に冷却用空気が効率よく行き渡るように冷却用空気が通る風路が形成されている。
【００１８】
次に操作部と表示部について図２と図４にて説明する。上面操作部９はプレート３の前面側に設けられ、載置部右６ａ、載置部中央６ｃ、載置部左６ｂに対応して右から、上面操作部右９ａ、上面操作部中央９ｃ、上面操作部左９ｂが配置されている。そして上面操作部９の奥側には上面表示部１０が設けられている。各上面操作部９ａ、９ｃ、９ｂに対応して上面表示部右１０ａ、上面表示部中央１０ｃ、上面表示部左１０ｂからなる上面表示部１０が配置されている。
【００１９】
上面操作部９は静電容量の変化を検出するタッチキーによって構成されている。具体的には、プレート３の下方には指を触れた時の静電容量の変化を検出する後述する電極３６（図２）を備えている。その他に電極３６に隣接して穴３６ａと、穴３６ａの真下の裏面に発光源７６（図２）を備えて操作基板１２（図２）を構成している。その発光源７６（図２）は穴３６ａ（図２）を通過してプレート３に印刷した上面操作部９の各キー部を照らし、タッチキーに指を触れて操作されたことを示すものである。なお、キー部とは、上面操作部９に設けられた切／スタートキー４８・５６・６１、とろ火キー４９ａ・５７ａ、弱火キー４９ｂ・５７ｂ、中火キー４９ｃ・５７ｃ、強火キー４９ｄ・５７ｄ、メニューキー５２・６０・６４などを示す。
【００２０】
次に、鍋への加熱条件を設定する上面操作部９（代表して上面操作部右９ａ）の各キー部について説明する。４８は調理の開始や停止するための切／スタートキーで、調理中は切／スタートキー４８のキー部の表示された「切／スタート」が点灯する。キー部の点灯についての詳細は後述する。調理の火力は火力キー４９によって選択する。該火力キー４９は、「とろ火」、「弱火」、「中火」、「強火」の四段階のキーに分かれ、必要な火力を一回の操作で設定できるようになっている。四段階の火力キー４９のうち、とろ火キー４９ａは「１」、弱火キー４９ｂは「４」、中火キー４９ｃは「７」、強火キー４９ｄは「１０」の火力に設定でき、設定したキー部の表示が点灯する。５１は主に煮込みや保温などタイマー調理を実施するときに選択するタイマーキーである。５２は自動調理の炊飯、揚げもの、湯沸し等を選択するための「メニュー」キーで、該メニューキー５２を押す（指で接触する）ことで上面表示部１０にメニューが表示され、メニューキー５２を押すたびに表示されているメニューが切り替わり、これによって使用するメニューを選択する。また、火力の調節やタイマー調理時の時間の設定、炊飯時における米の量の設定、自動調理の仕上がり調整の設定、揚げものをする時の油温の設定を設定キー５０により行うことができる。この設定キー５０は、設定時の数量などを増やすＵＰキー５０ａと減らすＤＯＷＮキー５０ｂからなっている。なお、上面操作部左９ｂは上面操作部右９ａと同じ操作、配列であるので説明を省略する。
【００２１】
次に、上面操作部中央９ｃについて説明する。載置部中央６ｃの主な調理は保温や煮込みである。従って、加熱コイル中央１３ｃの火力も他の加熱コイルの火力よりも小さく設計されている。このため火力表記は、とろ火、弱火、中火の三段階で足り、設定キー６２をサイクリック式としても、最大３回押せば元に戻るので、手前２つの加熱コイル２５ａ、２５ｂのように火力毎に対応した火力設定キーを設けていない。
【００２２】
図２に示すように、前記した上面操作部９の各入力キーとなる静電容量の変化を検出するための電極は、プレート３の下面に配置された操作基板１２に設けられている。操作基板１２は、操作基板１２ａと操作基板１２ｂとに別れ、操作基板１２ａは上面操作部右９ａと上面操作部中央９ｃに、操作基板１２ｂは上面操作部左９ｂに対応している。そして、操作基板１２の上面には、上面操作部９の各キー部を指で触れたことによる静電容量の変化を検出する電極３６を設け、電極３６で検出した静電容量の変化を制御回路（図示せず）で判定できるデジタル信号に変換する検出回路用の集積回路３７を電極３６とは離して設けている。なお、３４は基板間を接続するケーブルである。
【００２３】
制御基板１９に組み込まれた制御回路は、上面操作部９で設定された内容及び事前に組み込まれた自動調理などのプログラムに基づき、調理の開始、停止、火力の設定情報を制御信号として左右インバータ基板１８や中央インバータ基板１７に送り、加熱コイル１３などを制御する。また、同時に送風ファン２０の制御も行い、調理中は送風ファン２０を動作させる。
【００２４】
次に、表示部下部に配置される表示基板３３と発光基板８２について、図５〜図１３を用いて説明する。上面表示部１０は、表示ホルダ３２によって表示基板３３を固定し本体１の上方へ押し上げ、プレート３を取り付けて押さえこむことでプレート３に密着する構造である。表示基板３３は後述の液晶表示素子８１に文字等を表示し、液晶表示素子８１を照射する後述の発光基板８２を発光する駆動回路を略中央部に備えている。
【００２５】
図５は表示基板３０の側断面で、ここに示すように、８０は基板ホルダで、表示基板３３に脚８０ａを表示基板３３に設けた穴（図示せず）に挿入して脚８０ａのカギ部（図示せず）が係止して固定されている。液晶表示素子８１、発光基板８２は基板ホルダ８０により固定されている。
【００２６】
図６は基板ホルダ８０に発光基板８２を取り付ける面を示したもので、基板ホルダ８０を下側より見た外観図である。図７は図６のＰ矢方向から見た要部断面図である。
【００２７】
図６、図７に示すように、基板ホルダ８０は、保持部８４と段差８５を備えている。具体的には、発光基板３０の発光源８３を臨ませる開口８４ｇを設けた保持部ａ８４ａと、発光基板３０の厚み方向にバネ性を持つ梁を形成し先端に保持部ａ８４ａの側へ出っ張るカギ部８４ｄを設けた保持部ｂ８４ｂと、保持部ａ８４ａに段差８５を設け段差８５の上側に保持部ｃ８４ｃとを備えたものである。
【００２８】
図７に示すように、保持部ａ８４ａと保持部ｂ８４ｂの間の距離は１.６mmで、保持部ｃ８４ｃと保持部ｂ８４ｂの間の距離は１.０mmである。
【００２９】
次に、図８、図９に示す発光基板８２について説明する。図８は、厚さ１.６mmの紙フェノール（ＦＲ１）製の片面基板用のプリント配線基板で構成した発光基板８２ａである。図８（ａ）は下面側、図８（ｂ）は発光源８３ａを実装した上面側である。外形の両側に欠き形状の係止部８８を備えている。係止部８８は前記した保持部ｂ８４ｂのカギ部８４ｄを引っ掛ける部分である。
【００３０】
発光源８３ａは、基板ホルダ８０の開口８４ｇの１つに対して２個並べて配置されている。図６に示した基板ホルダ８０は１０個の開口８４ｇを備え、図８（ｂ）に示した発光基板８２ａは発光源８３ａを２０個並べて配置している。
【００３１】
ここで、１.６mmの片面基板用のプリント配線基板に発光源８３ａに例えばチップＬＥＤを使用する場合にはフロー実装によって実装される。このフロー実装では、ハンダ槽の上を通過してハンダ付けするためチップＬＥＤも熱せられるので、チップＬＥＤは耐熱温度が高い性能の部品であり高価である。
【００３２】
図９は、厚さ１.０mmのガラスコンポジット（ＣＥＭ３）製の両面基板用のプリント配線基板で構成した両面基板の発光基板８２ｂである。図９（ａ）は下面側、図９（ｂ）は光源８３ｂを実装した上面側である。外形の両側に欠き形状の係止部８８を備えている。係止部８８は前記した保持部ｂ８４ｂのカギ部８４ｄを引っ掛ける部分である。さらに、外形の長手方向ら突出する突出部８６を備えている。突出部８６は前記した保持部ｃ８４ｃに固定する部分である。
【００３３】
発光源８３ｂは、基板ホルダ８０の開口８４ｇの１つに対して２個並べて配置されている。図６に示した基板ホルダ８０は１０個の開口８４ｇを備え、図９（ｂ）に示した発光基板８２ｂは発光源８３ｂを２０個並べて配置している。
【００３４】
ここで、１.０mmの両面基板用のプリント配線基板に発光源８３ｂに例えばチップＬＥＤを使用する場合にはリフロー実装によって実装される。このリフロー実装では、予めハンダを塗布し赤外線などにより加熱してハンダを溶かしてハンダ付けするためチップＬＥＤへの熱は少ないので、チップＬＥＤの耐熱温度は低い性能の部品で充分であり安価である。
【００３５】
次に、図１０から図１３により、発光基板８２を基板ホルダ８０に取り付ける状態を説明する。まず図１０、図１１によって、発光基板８２ａは基板ホルダ８０の短手方向の側方から（図１０の手前から奥側へ）挿入されて、開口８４ｇに発光源８２ａを臨ませて、保持部ａ８４ａと保持部ｂ８４ｂの間に挟まれて、発光基板８２ａの係止部８８に保持部ｂ８４ｂのカギ部８４ｄを引っ掛けて発光基板８２ａを安定して固定できる。
【００３６】
次に、図１２、図１３によって、発光基板８２ｂは基板ホルダ８０の短手方向の側方から（図１２の手前から奥側へ）挿入されて、開口８４ｇに発光源８２ｂを臨ませて、突出部８６を保持部ｃ８４ｃと保持部ｂ８４ｂの間に挟まれて、発光基板８２ｂの係止部８８に保持部ｂ８４ｂのカギ部８４ｄを引っ掛けて発光基板８２ｂを安定して固定できる。
【００３７】
カギ部８４ｄで係止部８８を引っ掛けて固定することにより、側方に発光基板８２が外れるのを防ぎ固定するものである。なお、発光基板８２ａ、８２ｂの厚さについては、上記に限定されるものではない。
【００３８】
また、図１４から図１７に示すように基板ホルダ８０に複数の段差８５で保持部ｃ８４ｃ、保持部ｅ８４ｅを設け、複数の厚さの発光基板８２を固定する場合について説明する。例えば異なる３つ以上の厚さのプリント配線基板の発光基板８２を安定して固定することが可能である。
【００３９】
図１４、図１５は、基板ホルダ８０の保持部ａ８４ａの上方外側に保持部ｃ８４ｃ、さらに上方外側に保持部ｅ８４ｅを備え、保持部ｂ８４ｂのカギ部８４ｄで発光基板８２を係止する。そして発光基板８２ｃは、保持部ｅ８４ｅに固定するために発光基板８２ｂの突出部８６より長い突出部８６ｅを備えるものである。
【００４０】
また、図１６、図１７は、基板ホルダ８０の保持部ａ８４ａの上方外側に保持部ｃ８４ｃ、さらに上方で図１６で示す奥側に保持部ｆ８４ｆを備え、保持部ｂ８４ｂのカギ部８４ｄで発光基板８２を係止する。そして発光基板８２ｄは、保持部ｆ８４ｆに固定するために発光基板８２ｂの突出部８６より奥側に突出部８６ｆを備えるものである。また、発光基板８２でなくとも、固定する必要のある全ての基板に適用することができる。
【００４１】
本実施例は以上の構成よりなるもので、次に動作について説明する。
【００４２】
製品本体の主電源（図示せず）をオンすると、上面操作部９が操作可能になる。載置部６に鍋などの被加熱物を載せて、主電源オン後、キーを操作することにより、加熱時の火力感、設定状態、加熱状態等に応じ上面表示部１０の液晶表示素子８１が表示され発光基板８２の発光源８３によって点灯する。使用者は、加熱時の火力感、設定状態、加熱状態等を容易に認識することができ、切／スタートキー４８により加熱を開始して調理する。
【００４３】
以上説明したように、本実施例によれば、１つの基板ホルダ８０で異なる２つ以上の厚さのプリント配線基板の発光基板８２を基板ホルダ８０に安定して固定できる。また、プリント配線基板の厚さ毎に基板ホルダ８０を作る必要はなくコストを抑えることができる。
【００４４】
それは、１.６mmのプリント配線基板を使った発光基板８２ａでも、１.０mmのプリント配線基板を使った発光基板８２ｂでも、係止部８８に対してカギ部８４ｄの係り代が充分得られるため安定して固定できる。
【００４５】
また、発光基板８２ｂは１.０mmの両面基板用プリント配線基板に、耐熱温度が低く安価な光源８３ｂを使用して、リフロー実装することによりコストを抑えることができる。そのため、基板の材質や厚さ、および、発光源の仕様をコストによって使い分けることができ、厚さが薄い両面基板用のプリント配線基板と安価な発光源８３ｂによりコストを下げることができる。
【符号の説明】
【００４６】
２  本体
３  プレート
９  上面操作部
１０  上面表示部
１２  操作基板
１３  加熱コイル
２５  加熱コイルユニット
３３  表示基板
８０  基板ホルダ
８１  液晶表示素子
８２  発光基板
８３  発光源
８４  保持部
８４ｄ  カギ部
８５  段差
８６  突出部
８８  係止部
【図１】
2013105731.tif 000003
【図２】
2013105731.tif 000004
【図３】
2013105731.tif 000005
【図４】
2013105731.tif 000006
【図５】
2013105731.tif 000007
【図６】
2013105731.tif 000008
【図７】
2013105731.tif 000009
【図８】
2013105731.tif 000010
【図９】
2013105731.tif 000011
【図１０】
2013105731.tif 000012
【図１１】
2013105731.tif 000013
【図１２】
2013105731.tif 000014
【図１３】
2013105731.tif 000015
【図１４】
2013105731.tif 000016
【図１５】
2013105731.tif 000017
【図１６】
2013105731.tif 000018
【図１７】
2013105731.tif 000019